(57)【要約】【課題】  成貝を収容しているので重量があり、しかも縮小状態の養殖カゴから成貝を機械力によって自動的に分離することにより、作業効率の向上と作業員の削減及び身体的負担の解消等を実現し、作業時間とコストを軽減する。【解決手段】  支持体１の前部側に設置したカゴ取り込み機構７は、縮小状態の養殖カゴ５１を拘持して後方に送る一対の取込みベルト７Ｅ、７Ｅを有している。支持体１の中央から後部側に設けたカゴ早送り機構８は、取込みベルト７Ｅより早い速度で回転する一対の早送りベルト８Ｄ、８Ｄを有しており、先端側は取込みベルト７Ｅの後端側と同軸のＶプーリに巻装してある。カゴ早送り機構８の途中には支持体１に養殖カゴ５１を横方向から揺動して開口部から成貝を落下分離させるカゴ揺動手段１２が設けてある。【選択図】  図６
0003103202.tif 000002
【実用新案登録請求の範囲】
【請求項１】
伸縮可能な蛇腹状の網製筒体からなり、周方向の一部に閉塞部材によって常時は閉塞されている開口部が軸線方向に沿って設けてある養殖カゴから、該開口部を開口させて貝類を取り出す養殖カゴからの貝類分離装置であって、支持体と、該支持体に設けられ、縮小状態の前記養殖カゴを拘持して取り込み、後方に送る間に伸長させる不等速カゴ送り手段と、該不等速カゴ送り手段の送り方向途中に位置して前記支持体に設けられ、伸長した状態の前記養殖カゴを振動させる加振手段とから構成し、前記養殖カゴが伸長することにより開口状態になる開口部から貝類を落下させるようにした養殖カゴからの貝類分離装置。
【請求項２】
前記不等速カゴ送り手段は、前記養殖カゴを直径方向から拘持して取り込む一対の取込みベルトと、該一対の取込みベルトより高速で回転し、前記養殖カゴを取込みベルトから引き継いで拘持することにより伸長させる一対の早送りベルトを有していることを特徴とする請求項１記載の養殖カゴからの貝類分離装置。
【考案の詳細な説明】
【技術分野】
【０００１】
本考案は、例えばホタテ貝等の稚貝を収容して成貝に成育するのに用いた養殖カゴから、成貝を分離して回収するための養殖カゴからの貝類分離装置に関する。
【背景技術】
【０００２】
例えば、ホタテ貝の養殖方法には、パールネットを用いる方法の他に、図７に示す養殖カゴ、通称丸カゴを用いる方法がある。この養殖カゴ５１は、太い針金で形成した輪５２、５２に網を巻装し、周方向一部に開口部５３Ａを有する胴部５３を形成すると共に、底部を張設して直径が約５０センチメートル、深さが約２０センチメートルの円筒状カゴ単体５１Ａを形成し、このカゴ単体５１Ａ、５１Ａ、・・・を連結紐５４、５４、・・・により例えば１０個ほど同軸に連結して上端の輪５２に吊下げ用紐５５を設け、開口部５３Ａは長尺の閉塞用紐５６で養殖使用時には一体に閉塞するように構成してある。そして、養殖カゴ５１は各カゴ単体５１Ａの胴部５３を形成している網が伸縮することによって蛇腹状に軸方向に伸縮可能になっている。
【０００３】
上述した養殖カゴ５１は、各カゴ単体５１Ａに約１２０枚の稚貝を入れて海中に吊り下げて養殖し、稚貝が成貝にまで成育したら養殖カゴ５１を陸に上げて中から貝類を分離する。この養殖カゴ５１内から貝類を分離する作業は、作業員が養殖カゴ５１の両端を持ち上げて揺することにより養殖カゴ５１内から分離落下させているのが現状である。
【非特許文献１】宮城県水産研究開発センター  伝統的漁具漁法ホタテカイ
【考案の開示】
【考案が解決しようとする課題】
【０００４】
しかし、長さが約２ｍ、空のカゴで重量が約４ｋｇ、成貝を含む全重量が約５０ｋｇもある養殖カゴ５１を作業員が揺すって成貝を分離する作業は能率が悪いばかりでなく、大勢の作業員と日数を要するという欠点があるし、作業員には身体的に大きな負担を掛けるという欠点がある。また、貝類は海草を介して養殖カゴに付着していることもあるし、縮小した状態の養殖カゴ５１を揺すっても、中から貝類が容易に分離しないために極めて作業効率が悪いという問題がある。しかし、養殖カゴから貝類を機械力によって自動的に分離する技術はこれまで提案されていない。
【０００５】
本考案は上述した未解決の問題点に鑑みなされたもので、成貝の貝類を収容した重量のある縮小状態の養殖カゴを伸長して開口部から貝類を落下させる作業の工程を機械力により自動的に行うので作業効率に優れているし、従事する作業員数と作業日数を大幅に削減することができるので作業コストを大幅に節減することができるばかりでなく、作業員の身体的負担も殆ど無くすことができる養殖カゴからの貝類分離装置を提供することを目的とする。
【課題を解決するための手段】
【０００６】
上述した課題を解決するために構成された本考案の手段は、伸縮可能な蛇腹状の網製筒体からなり、周方向の一部に閉塞部材によって常時は閉塞されている開口部が軸線方向に沿って設けてある養殖カゴから、該開口部を開口させて貝類を取り出す養殖カゴからの貝類分離装置であって、支持体と、該支持体に設けられ、縮小状態の養殖カゴを拘持して取り込み、後方に送る間に伸長させる不等速カゴ送り手段と、該不等速カゴ送り手段の送り方向途中に位置して前記支持体に設けられ、伸長した状態の前記養殖カゴを振動させる加振手段とから構成し、前記養殖カゴが伸長することにより開口状態になる開口部から貝類を落下させるようにしたものからなる。
【０００７】
前記不等速カゴ送り手段は、前記養殖カゴを直径方向から拘持して取り込む一対の取込みベルトと、該一対の取込みベルトより高速で回転し、前記養殖カゴを取込みベルトから引き継いで拘持することにより伸長させる一対の早送りベルトとから構成するとよい。
【考案の効果】
【０００８】
本考案は以上詳述した如く構成したから、下記の諸効果を奏する。
（１）成貝を収容した重量のある縮小状態の養殖カゴを横移動する間に伸長させ、開口部を開口状態にして振動を加えることにより、養殖カゴ内から成貝を分離落下させる作業は、機械力により全自動で行うから作業効率に優れていると共に、作業員の数と作業日数を大幅に削減できることから作業コストを大幅に節減することができる。また、作業員の身体的負担も殆どない。
（２）成貝を収容した重量のある縮小状態の養殖カゴは、不等速カゴ送り手段により伸長させて開口部を開口状態にして加振するから、雑物介して付着している貝類を養殖カゴ内から確実に分離落下させることができる。
（３）不等速カゴ送り手段は、養殖カゴを拘持して取り込む取込みベルトと、該取込みベルトより高速で回転し、養殖カゴを取込みベルトから引き継ぐことにより伸長させる早送りベルトとから構成してあるので、養殖カゴを移動させながら無理なく、かつ円滑に伸長させることができる。
（４）取込みベルト及び送りながら振動を加える早送りベルトは、養殖カゴの直径に対応した所定の間隔で養殖カゴを拘持するから、養殖カゴを変形させたり、損傷を与えることがない。
【考案を実施するための最良の形態】
【０００９】
以下、本考案の実施の形態を図面に基づき詳述する。図において、１は支持体を示す。該支持体１は鋼管からなる前後の縦枠材１Ａ、１Ａ、・・と、上下の横枠材１Ｂ、１Ｂ、・・と、から略四角形の枠体に構成し、後側寄りに位置して横枠材１Ｂ、１Ｂ間の上側と下側に中間連結材１Ｃ、１Ｃを架設し、前後の横枠材１Ｂ、１Ｂの下側四隅に移動用キャスター２、２、・・を設けたものからなる。そして、支持体１には、前側の左右一対の縦枠材１Ａ、１Ａから前方に突設した一対の支持材３Ａ、３Ａで支持することにより、凹湾曲面に形成したカゴ置き台３が前方に向けて突設してある。また、支持体１の上部には後述する低速駆動機構９及び高速駆動機構１０を一体に覆うカバー４が設けてあり、側方には後述する取込みベルト７Ｅと早送りベルト８Ｄの速度設定や駆動モータ１０Ａや揺動モータを制御するための制御盤５が設けてある。
【００１０】
６は縮小状態にある養殖カゴ５１を拘持して前方から取り込み、後方に送る間に伸長させるために、前記支持体１に設けた不等速カゴ送り手段を示す。７は該不等速カゴ送り手段６を構成するカゴ取り込み機構で、該カゴ取り込み機構７は支持体１の幅方向両側に位置して前側に立設した前側固定軸７Ａ、７Ａと、該前側固定軸７Ａ、７Ａから後方に離間して支持体１に立設した一対の中間回転軸７Ｂ、７Ｂと、該各前側固定軸７Ａに上、下に離間して回転自在に挿嵌した従動Ｖプーリ７Ｃ、７Ｃと、該各中間回転軸７Ｂに上、下に離間して嵌着した駆動Ｖプーリ７Ｄ、７Ｄと、外側面には歯７Ｅ1 、７Ｅ1 、・・・を周方向に隔設し、内側面には長手方向に沿って凸条７Ｅ2 を形成した環状体からなり、前後に位置する各一対の従動Ｖプーリ７Ｃ及び駆動Ｖプーリ７Ｄ間に巻装した取込みベルト７Ｅ、７Ｅとから構成してある。
【００１１】
そして、中間回転軸７Ｂと一体に回転する駆動Ｖプーリ７Ｄと前側固定軸７Ａに対してフリーに回転する従動Ｖプーリ７Ｃにより、左右各一対の取込みベルト７Ｅ、７Ｅは矢示イ方向の内回り方向に回転しながら、養殖カゴ５１を拘持して後方に送るようになっている。ここで、該一対の取込みベルト７Ｅ、７Ｅは、その間隔を養殖カゴ５１の直径に対応して設定してあり、かつ養殖カゴ５１の輪５２に係合する歯７Ｅ1 、７Ｅ1 、・・・を外周面に隔設してあるから、養殖カゴ５１を強い力で拘持する必要がないので養殖カゴ５１を変形させたり、損傷することなく確実に拘持して後方に送ることができる。
【００１２】
８は前記カゴ取り込み機構７より早い速度で養殖カゴ５１を後方に送るカゴ送り機構で、該カゴ送り機構８は前記中間回転軸７Ｂから後方に離間して支持体１に回転可能に立設した後側回転軸８Ａと、前記駆動Ｖプーリ７Ｄ、７Ｄの間に位置して中間回転軸７Ｂに回転自在に挿嵌した従動Ｖプーリ８Ｂと、前記後側回転軸８Ａに嵌着した駆動Ｖプーリ８Ｃと、外側面には歯８Ｄ1 、８Ｄ1 、・・・を周方向に隔設し、内側面には長手方向に沿って凸条８Ｄ2 を形成した環状体からなり、前後に位置する各一対の駆動Ｖプーリ８Ｃ及び従動Ｖプーリ８Ｂの間に巻装した早送りベルト８Ｄ、８Ｄとから構成してある。
【００１３】
上述した一対の早送りベルト８Ｄ、８Ｄは、取込みベルト７Ｅ、７Ｅと同様に養殖カゴ５１の直径に対応して所定の間隔で配設してあり、また養殖カゴ５１の各輪５２に係合する歯８Ｄ1 、８Ｄ1 、・・・が突設してあるから、養殖カゴ５１を変形させたり損傷することなく、確実に後方に送ることができる。
【００１４】
９は不等速カゴ送り手段６を構成し、取込みベルト７Ｅ、７Ｅを回転駆動するための低速駆動機構で、該低速駆動機構は９は、各後側回転軸８Ａの上端側に夫々嵌着した駆動Ｖプーリ９Ａと、中間回転軸７Ｂの上端側に嵌着した従動Ｖプーリ９Ｂと、駆動Ｖプーリ９Ａと従動Ｖプーリ９Ｂとの間に巻装した伝動Ｖベルト９Ｃとから構成してある。また、１０は不等速送り手段６を構成し、早送りベルト８Ｄを回転駆動させるための高速駆動機構を示す。該高速駆動機構１０は支持体１に設けた駆動モータ１０Ａと、後側回転軸８Ａ、８Ａに嵌着した従動歯車１０Ｂ、１０Ｂと、該一方の歯車１０Ｂと駆動モータ１０Ａの駆動歯車との間に位置して支持体１に軸支したテンション歯車１０Ｃと、駆動モータ１０、これら従動歯車１０Ｂ、１０Ｂ及びテンション歯車１０Ｃに巻装した駆動チェーン１０Ｄとから構成してある。
【００１５】
かくして、不等速カゴ送り手段６はカゴ取り込み機構７、カゴ送り機構８、低速駆動機構９及び高速駆動機構１０から構成してある。そして、本実施の形態では、カゴ取り込み機構７は毎秒２８ｃｍの速度で養殖カゴ５１を取り込んで後方に移動させるに対し、カゴ送り機構８はこれより早い毎秒４７ｃｍの速度で養殖カゴ５１を移動させることにより、網の胴部５３が縮んで輪５２、５２の間が当初は縮小していた養殖カゴ５１を後方に送る間に順次伸長した状態にすることができる。
【００１６】
１１、１１は不等速カゴ送り手段６により前方から後方に送られる養殖カゴ５１を下方から支持するための一対のカゴ受け部材手段を示す。該カゴ受け部材１１、１１は取込みベルト７Ｅ、７Ｅから早送りベルト８Ｄ、８Ｄの下方に位置して支持体１に前後方向に設けた丸棒鋼材からなり、長手方向両端側は外側に屈曲して拡開させてある。そして、カゴ受け部材１１、１１は、当初から変形していたために取込みベルト７、７や早送りベルト８、８に確実に拘持されないような養殖カゴ５１を下側から保持して送ることができるようにするものである。
【００１７】
１２は不等速カゴ送り手段６により前側から後方に送られる養殖カゴ５１を例えば毎分約３００〜４００回（適宜の揺動回数に設定することは可能）揺動させることにより、養殖カゴ５１内から成貝を分離落下させて回収するためのカゴ揺動手段を示す。１３、１３、１４、１４は該カゴ揺動手段１２を構成する上、下各一対の支持ローラを示し、上側の支持ローラ１３、１３は支持体１の上側中間連結材１Ｃに下向きに、下側の支持ローラ１４、１４は下側中間連結材１Ｃに上向きに夫々設けてある。１５は前記上、下の支持ローラ１３、１３、１４、１４によって矢示ロ、ロ方向の横方向に進退可能に支持された可動枠で、該可動枠１５は鋼材からなる一対の縦材１５Ａ、１５Ａと横材１５Ｂ、１５Ｂを四角形に連結し、一側の縦材１５Ａに略コ字状の連結材１５Ｃを外側に突設した構成からなっており、各縦材１５Ａを扁平楕円状に配置してある送りベルト８Ｅの間に遊挿した状態にしてある。
【００１８】
１６、１６は前記縦材１５Ａ、１５Ａの高さ方向途中に固着した一対の側方押動シューを示す。側方押動シュー１６は早送りベルト８Ｄの裏面に摺設する摺動面１６Ａを凸湾曲面に形成すると共に、早送りベルト８Ｄの凸条８Ｄ2 が遊嵌する凹溝を横方向に形成したものからなっており、内側から早送りベルト８Ｄを内側、即ち養殖カゴ５１に向けて押動するものである。
【００１９】
また、１７、１７は養殖カゴ５１を斜め下方から支持しながら揺動するための一対の押動板で、該押動板１７、１７は可動枠１５の縦材１５Ａ、１５Ａに突設したブラケット１７Ａの先端に斜め上向きの状態で、支持体１の前後方向に配設してあり、両端側１７Ａ、１７Ａは養殖カゴ５１を円滑に導入して送り出すように外側に向けて若干屈曲させてある。
【００２０】
１８は養殖カゴ５１を揺動させるために支持体１の外側に搭載した揺動モータ、１９は該揺動モータ１８の回転力を直線運動に変換して可動枠１５を揺動させるピストン・クランク機構で、該ピストン・クランク機構１９は揺動モータ１８の回転軸と可動枠１５の連結材１５Ｃに連結してある。
【００２１】
上述した本実施の形態によれば、養殖カゴ５１は側方押動シュー１６によって個々の輪５２を直接加振しないで、早送りベルト８Ｄを介して複数の輪５２、５２、・・を加振するように構成したから、側方押動シュー１６が養殖カゴ５１を変形させることがない。また、側方押動シュー１６を支持する可動枠１５は支持ローラ１３、１４を介して支持体１に支持させる構成にしたから、側方押動シュー１６を設けた可動枠１５は図３中の破線で示すように円滑に左右方向に揺動するので養生カゴ５１を損傷することがない。
【００２２】
本実施の形態に係る養殖カゴからの貝類分離装置は上述の構成からなるが、次にその作動について説明する。海から引き揚げた養殖カゴ５１は、先ず閉塞用紐５６を引き抜いて開口部５３Ａを開放した状態にする。次に、カゴ送り手段８とカゴ揺動手段１２を始動し、養殖カゴ５１を開口部５３Ａを下向きの状態にしてカゴ置き台３に乗せ、カゴ取り込み機構７側に押し出す。或は、支持体１の後側から養殖カゴ５１の吊上げ用紐５５を作業員が引き寄せて、養殖カゴ５１の先頭の輪５２をカゴ取り込み機構７に拘持させるようにしてもよい。かくして、一対の取込みベルト７Ｅ、７Ｅは、養殖カゴ５１の先端に位置する輪５２から順次輪５２、５２、・・・を拘持して後方に送る。一対の取込みベルト７Ｅ、７Ｅは等速で回転しているからこの作動中は養殖カゴ５１は縮小した状態のままにある。
【００２３】
そして、養殖カゴ５１が一対の取込みベルト７Ｅ、７Ｅから一対の早送りベルト８Ｄ、８Ｄに拘持された状態で引き継がれると、早送りベルトト８Ｄ、８Ｄは取込みベルト７Ｅ、７Ｅより早い速度で回転しているから、引き継がれた時点で養殖カゴ５１は先端側から後方に引っ張られて連結紐５４の長さを限界として伸長し、これにより開口部５３Ａが開口状態になる。そして、この伸長した状態で養殖カゴ５１は後方に送られる。
【００２４】
上述のように伸長して開口部５３Ａが開口状態になった養殖カゴ５１は、カゴ揺動手段１２の位置で、一対の側方押動シュー１６、１６により左右方向に交互に押動されている早送りベルト８Ｄ、８Ｄが養殖カゴ５１に横方向から振動を加え、また斜め下方から支持する押動板１７、１７によって左右方向に振動が加えられることにより、養殖カゴ５１内の成貝は分離して開口部５３Ａから下方に落下する。なお、図示していないが、落下する成貝を回収するために支持体１の下方中央に回収用のベルトコンベア装置等を配置しておくとよい。
【００２５】
加振により成貝が落下分離した養殖カゴ５１は、早送りベルト８Ｄ、８Ｄの後端側から解放されるから、順次回収する。
【図面の簡単な説明】
【００２６】
【図１】養殖カゴからの貝類分離装置の正面図である。
【図２】養殖カゴからの貝類分離装置のカバーを外した平面図である。
【図３】図１中のＩＩＩ−ＩＩＩ矢示方向断面図である。
【図４】可動枠に設けた側方押動シューと押動板を示す平面図である。
【図５】養殖カゴからの貝類分離装置の使用状態を支持体の一部を省略して示す側面図である。
【図６】養殖カゴからの貝類分離装置の使用状態を支持体の一部を省略して示す平面図である。
【図７】養殖カゴの説明図である。
【符号の説明】
【００２７】
１        支持体
６        不等速カゴ送り手段
７        カゴ取り込み機構
７Ｅ      取込みベルト
８        カゴ送り機構
８Ｄ      早送りベルト
１２      カゴ揺動手段
５１      養殖カゴ
５３Ａ    開口部
【図１】
0003103202.tif 000003
【図２】
0003103202.tif 000004
【図３】
0003103202.tif 000005
【図４】
0003103202.tif 000006
【図５】
0003103202.tif 000007
【図６】
0003103202.tif 000008
【図７】
0003103202.tif 000009